(57)【要約】【課題】  操作されたキーに応じて操作モードを切り替えることにより、複合機器を遠隔操作する際の操作性を向上させた複合機器用リモコン装置を提供する。【解決手段】  リモコン装置１は、本体の操作モードに関係なく、操作されたときにＤＶＤ記録／再生部２１に制御信号を送信する第１の専用キーが操作されると、兼用キーが操作されたときにＤＶＤ記録／再生部２１に対する制御信号を送信する第１の操作モードに設定し、反対に操作モードに関係なく、操作されたときにＶＴ記録／再生部２２に制御信号を送信する第２の専用キーが操作されると、兼用キーが操作されたときにＶＴ記録／再生部２２に対する制御信号を送信する第２の操作モードに設定する。【選択図】  図２
2005191932.tif 000002
【特許請求の範囲】
【請求項１】
記録媒体であるＤＶＤに対する映像および音声の記録／再生を行うＤＶＤ記録／再生部、および記録媒体であるビデオテープに対する映像および音声の記録／再生を行うビデオテープ記録／再生部を内蔵した複合機器に対して、操作部に設けられた複数のキーのいずれかが操作されたときに、該操作されたキーに応じた制御信号を無線で送信する制御信号送信手段を備えた複合機器用リモコン装置において、
前記操作部に設けられた複数のキーには、操作されたときに、そのときに設定されている操作モードに応じて前記ＤＶＤ記録／再生部またはビデオテープ記録／再生部の一方に対する制御信号を前記制御信号送信手段が送信する兼用キー、前記操作モードに関係なくＤＶＤ記録／再生部に対する制御信号を前記制御信号送信手段が送信する第１の専用キー、および前記操作モードに関係なくビデオテープ記録／再生部に対する制御信号を前記制御信号送信手段が送信する第２の専用キーがそれぞれ１つ以上含まれており、
前記第１の専用キー、および第２の専用キーの一部のキーを予め記憶した記憶手段と、
前記第１の専用キーが操作されたときに、前記操作モードを前記兼用キーが操作されたときに前記制御信号送信手段が前記第１の記録部に対して制御信号を送信する第１の操作モードに設定するとともに、前記第２の専用キーが操作されたときに、前記操作モードを前記兼用キーが操作されたときに前記制御信号送信手段が前記第２の記録部に対して制御信号を送信する第２の操作モードに設定し、さらに前記記憶手段が記憶している第１の専用キー、または第２の専用キーが操作された場合、キー操作の直前における前記操作モードが第１の操作モードであるか、第２の操作モードであるかを判断し、今回操作された専用キーに対応するキー操作が行われた後、操作モードを先に判断したキー操作の直前の操作モードに再設定する操作モード設定手段と、を備えた複合機用リモコン装置。
【請求項２】
第１の記録媒体に対する映像および音声の記録／再生を行う第１の記録部、および第２の記録媒体に対する映像および音声の記録／再生を行う第２の記録部を内蔵した複合機器に対して、操作部に設けられた複数のキーのいずれかが操作されたときに、該操作されたキーに応じた制御信号を無線で送信する制御信号送信手段を備えた複合機器用リモコン装置において、
前記操作部に設けられた複数のキーには、操作されたときに、そのときに設定されている操作モードに応じて前記第１の記録部または第２の記録部の一方に対する制御信号を前記制御信号送信手段が送信する兼用キー、前記操作モードに関係なく第１の記録部に対する制御信号を前記制御信号送信手段が送信する第１の専用キー、および前記操作モードに関係なく第２の記録部に対する制御信号を前記制御信号送信手段が送信する第２の専用キーがそれぞれ１つ以上含まれており、
前記第１の専用キーが操作されたときに、前記操作モードを前記兼用キーが操作されたときに前記制御信号送信手段が前記第１の記録部に対して制御信号を送信する第１の操作モードに設定するとともに、前記第２の専用キーが操作されたときに、前記操作モードを前記兼用キーが操作されたときに前記制御信号送信手段が前記第２の記録部に対して制御信号を送信する第２の操作モードに設定する操作モード設定手段を備えた複合機用リモコン装置。
【請求項３】
前記第１の専用キー、および第２の専用キーの一部のキーを予め記憶した記憶手段と、
前記操作モード設定手段は、前記記憶手段が記憶している第１の専用キー、または第２の専用キーが操作された場合、キー操作の直前における前記操作モードが第１の操作モードであるか、第２の操作モードであるかを判断し、今回操作された専用キーに対応するキー操作が行われた後、操作モードを先に判断したキー操作の直前の操作モードに再設定する請求項２に記載の複合機器用リモコン装置。
【請求項４】
前記第１の記録部がＤＶＤに対する映像および音声の記録／再生を行い、前記第２の記憶部がビデオテープに対する映像および音声の記録／再生を行う複合機器に対して、制御信号を送信する請求項２または３に記載の複合機器用リモコン装置。
【発明の詳細な説明】
【技術分野】
【０００１】
この発明は、２つの機器を内蔵する複合機器を遠隔操作する複合機用リモコン装置に関する。
【背景技術】
【０００２】
従来、映像および音声を記録媒体に記録する記録装置が実用化されている。記録装置が処理する記録媒体としては、ビデオテープ、ＤＶＤ、ハードディスク等がある。また、記録媒体に記録した映像および音声を別の記録媒体に記録する、所謂ダビング、が行える記録装置（複合機器）もすでに実用化されている。この複合機器は、記録媒体に対する映像および音声の記録／再生が行える記録装置を２つ内蔵し、一方の記録装置で記録媒体に記録されている映像および音声を再生し、他方の記録装置でこの再生されている映像および音声を記録媒体に記録する、ダビング動作を実行可能に構成した装置である。複合機器には、映像および音声の記録／再生を行う記録媒体の種類が同じである記録装置を２つ内蔵したものや、記録媒体の種類が異なる記録装置を２つ内蔵したものがある。
【０００３】
一方、複合機器を遠隔操作するリモコン装置には、特許文献１にも示されているように、操作されたときに予め定められた一方の装置に対する制御信号を送信する専用キー、および設定されている操作モードによって決定される装置に対する制御信号を送信する兼用キーが設けられている。この兼用キーを設けることにより、リモコン装置に設けるキーの総数を抑え、利用者の操作性を向上させている。また、特許文献２のように、複合機ではないが、２つの装置を遠隔操作するリモコン装置も提案されている。このリモコン装置には、専用キーという考えはなく、全てが兼用キーである。
【特許文献１】特開平１１−１４９６８２号公報
【特許文献２】特開平  ８−    ７３９２号公報
【発明の開示】
【発明が解決しようとする課題】
【０００４】
しかしながら、従来のリモコン装置は、その時点で設定されている操作モードでない装置を制御する場合、操作モードを切り替える専用のキーを操作して、リモコン装置の操作モードを切り替えてから、実際に装置を制御するためのキー操作を行う構成であり、操作性が良くないという問題があった。
【０００５】
この発明の目的は、操作されたキーに応じて操作モードを切り替えることにより、複合機器を遠隔操作する際の操作性を向上させた複合機器用リモコン装置を提供することにある。
【課題を解決するための手段】
【０００６】
この発明の複合機用リモコン装置は、上記課題を解決するために以下の構成を備えている。
【０００７】
（１）第１の記録媒体に対する映像および音声の記録／再生を行う第１の記録部、および第２の記録媒体に対する映像および音声の記録／再生を行う第２の記録部を内蔵した複合機器に対して、操作部に設けられた複数のキーのいずれかが操作されたときに、該操作されたキーに応じた制御信号を無線で送信する制御信号送信手段を備えた複合機器用リモコン装置において、
前記操作部に設けられた複数のキーには、操作されたときに、そのときに設定されている操作モードに応じて前記第１の記録部または第２の記録部の一方に対する制御信号を前記制御信号送信手段が送信する兼用キー、前記操作モードに関係なく第１の記録部に対する制御信号を前記制御信号送信手段が送信する第１の専用キー、および前記操作モードに関係なく第２の記録部に対する制御信号を前記制御信号送信手段が送信する第２の専用キーがそれぞれ１つ以上含まれており、
前記第１の専用キーが操作されたときに、前記操作モードを前記兼用キーが操作されたときに前記制御信号送信手段が前記第１の記録部に対して制御信号を送信する第１の操作モードに設定するとともに、前記第２の専用キーが操作されたときに、前記操作モードを前記兼用キーが操作されたときに前記制御信号送信手段が前記第２の記録部に対して制御信号を送信する第２の操作モードに設定する操作モード設定手段を備えている。
【０００８】
この構成では、操作モード設定手段が第１の専用キーが操作されると、操作モードを兼用キーが操作されたときに第１の記録部に対して制御信号を送信する第１の操作モードに設定し、反対に第２の専用キーが操作されると、操作モードを兼用キーが操作されたときに第２の記録部に対して制御信号を送信する第２の操作モードに設定する。兼用キーとしては、例えば再生キー、停止キー、一時停止キーがあり、専用キーとしては例えば記録媒体がビデオテープである記録部用のインデックスサーチキーや、記録媒体がＤＶＤである記録部用のタイトル表示キー（ＴＯＣの内容を表示させるときに操作するキー）がある。通常、ユーザが、第１の専用キーを操作するのは第１の記録部を遠隔操作するためであり、反対に第２の専用キーを操作するのは第２の記録部を遠隔操作するためである。言い換えれば、ユーザが第１の専用キーを操作したとき、これから第１の記録部を遠隔操作すると推測でき、また第２の専用キーを操作したとき、これから第２の記録部を遠隔操作すると推測できる。したがって、専用キーの操作により、ユーザがこれから遠隔操作すると推測される記録部（第１の記録部、または第２の記録部）に応じて、自動的にその記録部を遠隔操作する操作モードに設定するので、ユーザの操作性の向上が図れる。
【０００９】
なお、操作モードが第１のモードである場合に、第１の専用キーが操作されたときには、操作モードは実際には切り替わらないので、このとき操作モード設定手段が第１の操作モードに設定する処理を行わなくてもよい。また、この場合に、第１の操作モードに設定する処理を行っても特に問題は生じない。また、操作モードが第２のモードである場合に、第２の専用キーが操作された場合も同様である。
【００１０】
（２）前記第１の専用キー、および第２の専用キーの一部のキーを予め記憶した記憶手段と、
前記操作モード設定手段は、前記記憶手段が記憶している第１の専用キー、または第２の専用キーが操作された場合、キー操作の直前における前記操作モードが第１の操作モードであるか、第２の操作モードであるかを判断し、今回操作された専用キーに対応するキー操作が行われた後、操作モードを先に判断したキー操作の直前の操作モードに再設定する。
【００１１】
この構成では、記憶手段が記憶している第１の専用キーまたは第２の専用キーが操作されたときに、操作モード設定手段が一旦操作された専用キーに応じた操作モードに設定し、今回操作された専用キーに対応する一連のキー操作が行われた後に、専用キーが操作される直前の操作モードに再設定する。通常、録画予約等は一時的な操作であると考えられることから、録画予約にかかる操作の完了後、ユーザは録画予約にかかる操作を行う直前に遠隔操作していた記録部（第１の記録部、または第２の記録部）を操作すると推測できる。したがって、記憶手段に一時的な操作を行う第１の専用キー、および第２の専用キーを記憶させておくことにより、ユーザの一時的な操作完了後に、操作モードがその直前の操作モードに自動的に再設定されるので、ユーザの操作性のさらなる向上が図れる。
【発明の効果】
【００１２】
この発明によれば、専用キーの操作により、ユーザがこれから遠隔操作すると推測される記録部（第１の記録部、または第２の記録部）に応じて、自動的にその記録部を遠隔操作する操作モードに切り替わるので、ユーザの操作性の向上が図れる。
【発明を実施するための最良の形態】
【００１３】
以下、この発明の実施形態である複合機用リモコン装置（以下、単にリモコン装置と言う。）について説明する。
【００１４】
図１はこの発明の実施形態であるリモコン装置、およびこのリモコン装置によって遠隔操作される複合機器を示す図である。図１において、１がこの発明の実施形態であるリモコン装置であり、２がこのリモコン装置１により遠隔操作される複合機器である。リモコン装置１は、表面に複数のキーが配置されており、操作されたキーに応じた制御信号を赤外線や電波等で複合機器２に送信する。複合機器２は、リモコン装置１から送信されてきた制御信号に応じて動作する。この複合機器２は、記録媒体であるＤＶＤに対する映像および音声の記録／再生を行うＤＶＤ記録／再生部２１と、記録媒体であるビデオテープに対する映像および音声の記録再生を行うビデオテープ記録／再生部２２（ＶＴ記録／再生部２２）と、リモコン装置１から送信されてきた制御信号を受信し、受信した制御信号がＤＶＤ記録／再生部２１に対する制御信号であるか、ＶＴ記録／再生部２２に対する制御信号であるかを判定し、ここで判定した方に受信した制御信号を引き渡す制御信号処理部２３と、を備えている。ＤＶＤ記録／再生部２１は公知のＤＶＤ装置と略同じ構成であり、ＶＴ記録／再生部２２は公知のＶＣＲ（ビデオカセットレコーダ）と略同じ構成である。この、複合機器２は公知のＤＶＤ装置およびＶＣＲを内蔵した装置である。ＤＶＤ記録／再生部２１およびＶＴ記録／再生部２２に、それぞれにリモコン装置１からの制御信号を受信して処理する制御信号処理部を設けてもよいが、ここでは受信信号処理部２３を１つとし、この受信信号処理部２３がリモコン装置１から送信されてきた制御信号をＤＶＤ記録／再生部２１、またはＶＴ記録／再生部２２のどちらに対する制御信号であるかを判定し、この制御信号の引き渡し先を振り分ける構成とし、複合機器本体のコストを安価にしている。
【００１５】
図２は、リモコン装置の構成を示すブロック図である。リモコン装置１は、本体の動作を制御する制御部１１と、表面に配置されたキー操作による入力を受け付ける操作部１２と、操作部１２において操作されたキーに応じた制御信号を送信する送信部１３と、録画予約等の一時的な操作を行うときに操作されるキーを記憶した記憶部１４とを備えている。リモコン装置１には、専用キーおよび兼用キーが配置されている。専用キーには、ＤＶＤ記録／再生部２１用の第１の専用キー、およびＶＴ記録／再生部２２に対する第２の専用キーがある。第１の専用キーには、例えばタイトル表示キー（セットされているＤＶＤのＴＯＣの内容を表示させるときに操作するキー）がある。また第２の専用キーには、所定時間（数秒）無記録である位置（記録されているコンテンツの開始位置近傍）までテープを早送り、または巻き戻す際に操作するインデックスサーチキー等がある。また、兼用キーには、再生を開始させる再生キー、再生を停止する停止キー、一時停止キー等がある。リモコン装置１は、第１の操作モード、または第２の操作モードで動作し、第１の操作モードであるときに兼用キーが操作されると、ＤＶＤ記録／再生部２１に対するコードの制御信号を送信部１３から送信し、第２の操作モードであるときに兼用キーが操作されると、ＶＴ記録／再生部２２に対するコードの制御信号を送信部１３から送信する。
【００１６】
このように、リモコン装置１は、兼用キーを設けることにより、本体に配置されるキーの総数が抑えられている。また、本体表面に配置されているキーには、操作モードを切り替えるときに操作するモード切替キーが含まれている。
【００１７】
また、この実施形態では、複合機器２はＧコード（登録商標）による録画予約をＤＶＤ記録／再生部２１で受け付け、ＶＴ記録／再生部２２では受け付けない構成である。このため、記憶部１４は、Ｇコードキーを一時的な操作を行うときに操作されるキーとして記憶している。
【００１８】
次に、この発明の実施形態であるリモコン装置１の動作について説明する。図３、および図４は、リモコン装置の動作を示すフローチャートである。リモコン装置１は、操作部１２においてキー操作による入力を待っている（ｓ１）。キー操作による入力があると、今回操作されたキーが兼用キー、第１の専用キー、第２の専用キー、またはモード切替キー等のその他のキーのいずれであるかを判定する（ｓ２〜ｓ４）。リモコン装置１は、今回操作されたキーが兼用キーであると判定すると、現在の操作モードがＤＶＤ記録／再生部２１に対して制御信号を送信する第１の操作モードであるか、ＶＴ記録／再生部２２に対して制御信号を送信する第２の操作モードであるかを判定する（ｓ５）。ｓ５で第１の操作モードであると判定すると、リモコン装置１の送信部１３が今回操作されたキーに応じた制御信号で、且つＤＶＤ記録／再生部２１に対する制御信号を送信する（ｓ６）。反対に、リモコン装置１はｓ５で第２の操作モードであると判定すると、今回操作されたキーに応じた制御信号で、且つＶＴ記録／再生部２２に対する制御信号を送信する（ｓ７）。ｓ６、ｓ７で送信される制御信号は異なるコードである。例えば、兼用キーである再生キーが操作された場合、ｓ６、ｓ７で送信される制御信号はともに再生信号であるが、ｓ６で送信される再生信号はＤＶＤ記録／再生部２１に対する再生信号であり、ｓ７で送信される再生信号はＶＴ記録／再生部２２に対する再生信号である。言い換えれば、ＤＶＤ記録／再生部２１に対する再生信号と、ＶＴ記録／再生部２２に対する再生信号とは、コードが異なる制御信号である。リモコン装置１は、ｓ６、またはｓ７で制御信号を送信するとｓ１に戻る。
【００１９】
複合機器２は、リモコン装置１から送信されてきた制御信号を制御信号処理部２３で受信すると、制御信号処理部２３においてそのコードから、ＤＶＤ記録／再生部２１に対する制御信号であるか、ＶＴ記録／再生部２２に対する制御信号であるかを判定し、この判定結果に基づいて、今回受信した制御信号をＤＶＤ記録／再生部２１またはＶＴ記録／再生部２２に引き渡す。制御信号処理部２３から制御信号が渡されたＤＶＤ記録／再生部２１またはＶＴ記録／再生部２２は、渡された制御信号に基づいて動作する。
【００２０】
また、リモコン装置１は今回操作されたキーが兼用キー、第１の専用キー、および第２の専用キーのいずれでもない、その他のキーであると判定すると、今回操作されたキーに応じた処理（その他の処理）を行い（ｓ８）、ｓ１に戻る。例えば、今回操作されたキーがモード切替キーであれば、現在の操作モードが第１の操作モードであれば、操作モードを第２の操作モードに設定し、反対に現在の操作モードが第２の操作モードであれば、操作モードを第１の操作モードに設定する。この場合は、送信部１３から制御信号を送信することはない。
【００２１】
なお、後述するように、第１の専用キー、第２の専用キーを操作することにより、リモコン装置１の操作モードが切り替わるので、上記モード切替キーについては、リモコン装置１に設けなくても支障はない。
【００２２】
次に、リモコン装置１が今回操作されたキーが第１の専用キーであると判定した場合の動作について、図４（Ａ）を参照しながら説明する。リモコン装置１は、今回操作されたキーに応じた制御信号を送信する（ｓ１１）。ｓ１１で送信する制御信号は、常にＤＶＤ記録／再生部２１に対する制御信号であり、上述の兼用キーのように、このキーが操作されたときの操作モードによってＶＴ記録／再生部２２に対する制御信号を送信することはない。リモコン装置１は、ｓ１１で制御信号を送信すると、現在の操作モードが第２の操作モードであれば、第１の操作モードに設定する（ｓ１２、ｓ１３）。ここでは、現在の操作モードが第１の操作モードでなければ（第２の操作モードであれば）、第１の操作モードに設定するとしているが、ｓ１２の判定をなくし、無条件にｓ１３で操作モードを第１の操作モードに設定してもよい。
【００２３】
したがって、ユーザは第１の専用キーを操作することにより、その時点におけるリモコン装置の操作モードがどちらであっても、リモコン装置１を第１の操作モードに設定できる。このため、ユーザは、モード切替キーを操作することなく、第１の専用キーを操作するだけでリモコン装置１を第１の操作モードに設定でき、ＤＶＤ記録／再生部２１の遠隔操作が行え、ユーザの操作性が向上される。
【００２４】
なお、ユーザが第１の専用キーを操作するのは、そのキー操作で送信される制御信号によりＤＶＤ記録／再生部２１を遠隔操作するためであり、リモコン装置１の操作モードを切り替えるためのキー操作ではない。
【００２５】
そして、リモコン装置１は、今回操作されたキーが記憶部１４に記憶している一時的な操作を行うキーであるかどうかを判定する（ｓ１４）。リモコン装置１は、ｓ１４で一時的な操作を行うキーでないと判定すると、ｓ１に戻る。言い換えれば、今回のユーザの操作がＤＶＤ記録／再生部２１に対する一時的な操作ではなく、ＤＶＤ記録／再生部２１を継続して使用するための操作であると判定した場合にｓ１に戻る。また、リモコン装置はこのとき第１の操作モードであり、この後ユーザが兼用キーを操作すると、ＤＶＤ記録／再生部２１に対する制御信号を送信部１３から送信する。
【００２６】
一方、リモコン装置１は、ｓ１４で一時的な操作、例えば録画予約にかかる操作、であると判定すると、キー操作がある毎に、今回操作されたキーに応じた制御信号で、且つＤＶＤ記録／再生部２１に対する制御信号を送信し、ｓ１で操作された第１の専用キーに対応する一連のキー操作が完了したかどうかを判定する（ｓ１５〜ｓ１７）。例えば、ｓ１で操作されたキーが、第１の専用キーであるＧコードキーであった場合、テンキーの操作によるＧコードの入力が完了するまで、ｓ１５〜ｓ１７の処理を繰り返す。リモコン装置１は、ｓ１７で一連のキー操作が完了したと判定すると、操作モードをｓ１で第１の専用キーが操作された直前の操作モードに再設定し（ｓ１８）、ｓ１に戻る。
【００２７】
このように、リモコン装置１は、ｓ１で操作されたキーが第１の専用キーであり、且つ一時的な操作を行うキーであれば、この一時的な操作にかかる一連のキー操作が完了したときに、ｓ１で第１の専用キーが操作された直前の操作モードに再設定するようにした。これにより、例えばユーザがＶＴ記録／再生部２２を使用してビデオテープに記録されている映像および音声を視聴しているときに（リモコン装置１は第２の操作モードである。）、ＤＶＤ記録／再生部２１に対してＧコードによる録画予約等の一時的な操作を行った場合、リモコン装置１がこの一時的な操作の完了後に自動的に第２の操作モードに再設定する。したがって、ユーザはＧコードによる録画予約等の一時的な操作を行った後に、リモコン装置１の操作モードを第２の操作モードに切り替える操作を行わなくても、映像および音声を視聴しているＶＴ記録／再生部２２をリモコン装置１で遠隔操作できる。
【００２８】
なお、ユーザがＤＶＤ記録／再生部２１を使用してＤＶＤに記録されている映像および音声を視聴しているときに（このときリモコン装置１は第１の操作モードである。）、ＤＶＤ記録／再生部２１に対してＧコードによる録画予約等の一時的な操作を行った場合には、リモコン装置１がこの一時的な操作の完了後に自動的に第１の操作モードに再設定するので、ユーザはＧコードによる録画予約等の一時的な操作を行った後、特別な操作（操作モードを切り替えるための操作）を行うことなく、リモコン装置１でＤＶＤ記録／再生部２１を遠隔操作できる。
【００２９】
次に、リモコン装置１が今回操作されたキーが第２の専用キーであると判定した場合の動作について、図４（Ｂ）を参照しながら説明する。この処理は、上述した第１の専用キーが操作された場合と略同じであり、異なる点はリモコン装置１における操作モードの設定が逆になる点である。以下、この場合の動作について簡単に説明する。
【００３０】
リモコン装置１は、今回操作されたキーに応じた制御信号を送信する（ｓ２１）。ｓ２１で送信する制御信号は、常にＶＴ記録／再生部２２に対する制御信号であり、上述の兼用キーのように、このキーが操作されたときの操作モードによってＤＶＤ記録／再生部２１に対する制御信号を送信することはない。リモコン装置１は、ｓ２１で制御信号を送信すると、現在の操作モードが第１の操作モードであれば、第２の操作モードに設定する（ｓ２２、ｓ２３）。ここでも、現在の操作モードが第２の操作モードでなければ（第１の操作モードであれば）、第２の操作モードに設定するとしているが、ｓ２２の判定をなくし、無条件にｓ２３で操作モードを第２の操作モードに設定してもよい。したがって、ユーザは第２の専用キーを操作することにより、その時点におけるリモコン装置の操作モードがどちらであっても、リモコン装置１を第２の操作モードに設定できる。このため、ユーザは、モード切替キーを操作することなく、第２の専用キーを操作するだけでリモコン装置１を第２の操作モードに設定でき、ＶＴ記録／再生部２２の遠隔操作が行えるので、ユーザの操作性が向上される。
【００３１】
なお、ユーザが第２の専用キーを操作するのは、そのキー操作で送信される制御信号によりＶＴ記録／再生部２２を遠隔操作するためであり、リモコン装置１の操作モードを切り替えるためのキー操作ではない。
【００３２】
そして、リモコン装置１は、今回操作されたキーが記憶部１４に記憶している一時的な操作を行うキーであるかどうかを判定する（ｓ２４）。リモコン装置１は、ｓ２４で一時的な操作を行うキーでないと判定すると、ｓ１に戻る。言い換えれば、今回のユーザの操作がＶＴ記録／再生部２２に対する一時的な操作ではなく、ＶＴ記録／再生部２２を継続して使用するための操作であると判定した場合にｓ１に戻る。また、リモコン装置はこのとき第２の操作モードであり、この後ユーザが兼用キーを操作すると、ＶＴ記録／再生部２２に対する制御信号を送信部１３から送信する。一方、リモコン装置１は、ｓ２４で一時的な操作であると判定すると、キー操作がある毎に、今回操作されたキーに応じた制御信号で、且つＶＴ記録／再生部２２に対する制御信号を送信し、ｓ１で操作された第２の専用キーに対応する一連のキー操作が完了したかどうかを判定する（ｓ２５〜ｓ２７）。リモコン装置１は、ｓ２７で一連のキー操作が完了したと判定すると、操作モードをｓ１で第２の専用キーが操作された直前の操作モードに再設定し（ｓ２８）、ｓ１に戻る。
【００３３】
このように、リモコン装置１は、ｓ１で操作されたキーが第２の専用キーであり、且つ一時的な操作を行うキーであれば、この一時的な操作にかかる一連のキー操作が完了したときに、ｓ１で第２の専用キーが操作された直前の操作モードに再設定するようにした。これにより、例えばユーザがＤＶＤ記録／再生部２１を使用してＤＶＤに記録されている映像および音声を視聴しているときに（リモコン装置１は第１の操作モードである。）、ＶＴ記録／再生部２２に対して一時的な操作を行った場合、リモコン装置１がこの一時的な操作の完了後に自動的に第１の操作モードに再設定するので、ユーザはＶＴ記録／再生部２２に対する一時的な操作を行った後に、リモコン装置１の操作モードを第１の操作モードに切り替える操作を行わなくても、映像および音声を視聴しているＤＶＤ記録／再生部２１をリモコン装置１で遠隔操作できる。
【００３４】
なお、ユーザがＶＴ記録／再生部２２を使用してビデオテープに記録されている映像および音声を視聴しているときに（リモコン装置１は第２の操作モードである。）、ＶＴ記録／再生部２２に対して一時的な操作を行っても、リモコン装置１がこの一時的な操作の完了後に自動的に第２の操作モードに再設定するので、ユーザはＶＴ記録／再生部２２に対して一時的な操作を行った後も、特別な操作を行うことなく、リモコン装置１でＶＴ記録／再生部２２を遠隔操作できる。
【００３５】
このように、この実施形態のリモコン装置１は、第１の専用キー、または第２の専用キーの操作により、ユーザがこれから遠隔操作すると推測されるＤＶＤ記録／再生部２１、またはＶＴ記録／再生部２２に応じて、自動的に操作モードを設定するので、ユーザの操作性の向上が図れる。また、ユーザの一時的な操作であると推測した場合に、この一時的な操作完了後に、操作モードをその直前の操作モードに自動的に再設定するので、ユーザの操作性のさらなる向上が図れる。
【００３６】
なお、上記実施形態では、ＤＶＤ記録／再生部２１とＶＴ記録／再生部２２と、を内蔵した複合機器２を用いて本願発明を説明したが、一方を例えばハードディスクに対する映像および音声の記録／再生を行うＨＤＤ記録／再生部とした複合機器を遠隔操作するリモコン装置にも本願発明を適用することができる。
【図面の簡単な説明】
【００３７】
【図１】この発明の実施形態であるリモコン装置、およびこのリモコン装置によって遠隔制御される複合機器を示す図である。
【図２】リモコン装置の構成を示すブロック図である。
【図３】この発明の実施形態であるリモコン装置の動作を示すフローチャートである。
【図４】この発明の実施形態であるリモコン装置の動作を示すフローチャートである。
【符号の説明】
【００３８】
１−リモコン装置
２−複合機器
１１−制御部
１２−操作部
１３−送信部
２１−ＤＶＤ記録／再生部
２２−ビデオテープ記録／再生部（ＶＴ記録再生部）
【図１】
2005191932.tif 000003
【図２】
2005191932.tif 000004
【図３】
2005191932.tif 000005
【図４】
2005191932.tif 000006